(57)【特許請求の範囲】
【請求項１】
被開閉体と前記被開閉体に開閉可能に軸支された開閉体とを電気的に接続する接続ケーブルであって、
伸縮可能な螺旋形状の螺旋部と、
一端側で前記螺旋部と連接し、他端側に設けられた接続部に向けて直線状に延設され、前記開閉体と電気的に接続される第一直線部と、
一端側で前記螺旋部と連接し、他端側に設けられた接続部に向けて直線状に延設され、前記被開閉体と電気的に接続される第二直線部と、
を備え、
前記開閉体の開閉動に伴って、前記第一直線部及び前記第二直線部が、前記螺旋部の螺旋軸に対して回動可能であり、
前記開閉体が前記被開閉体に対し閉じられた状態では、前記第一直線部と前記第二直線部の少なくとも一方が前記螺旋部の螺旋軸に対し同一方向を示さない所定の角度を有して配置されており、
前記開閉体が前記被開閉体に閉じられた状態から開かれるに伴って、前記所定の角度が大きくなり前記螺旋部の弾性により前記螺旋部が撓む動作を行い、後に、前記第一直線部又は前記第二直線部の少なくとも一方と前記螺旋部の螺旋軸とが同一方向を示すに近づくにつれ、前記螺旋部が前記螺旋軸の軸方向に伸張する動作も行うという、前記螺旋部が前記開閉体の開閉角度に応じて異なる２つの動作を行うことを特徴とする、
接続ケーブル。
【請求項２】
前記接続ケーブルは、複数の接続ケーブルからなり、
前記螺旋部は、複数の前記接続ケーブルを結束する結束部を両端側に有する、
請求項１に記載の接続ケーブル。
【請求項３】
前記第一直線部と前記第二直線部は、前記開閉体が前記被開閉体に閉じた状態では、前記第一直線部と前記第二直線部の方向が略同一の方向に配置される、
請求項１又は２に記載の接続ケーブル。
【請求項４】
請求項１〜３のいずれか１項に記載の接続ケーブルを備えた、
遊技機。
【発明の詳細な説明】
【技術分野】
【０００１】
本発明は、パチンコ遊技機、アレンジボール遊技機、雀球遊技機、メダル又パチンコ球を遊技媒体として用いる回動式遊技機等の遊技機の接続ケーブルに関するものである。
【背景技術】
【０００２】
従来、パチンコ遊技機の前扉を開閉する際に、本体部と前扉とを接続する接続ケーブルが断線することを防止するための接続ケーブル保持構造が知られている。例えば、特許文献１には、台間機の貸出データ転送用接続端子とパチンコ遊技機の中継基板の接続用端子とを接続する接続ケーブル保持構造が記載されている。特許文献１の第２の実施形態に係る接続ケーブル保持構造では、全部又は一部を螺旋状に形成して、螺旋軸方向に伸縮自在に設けることにより、前扉の開閉時における接続ケーブルの挟み込みや引っかけ等に起因する断線を防止している。
【先行技術文献】
【特許文献】
【０００３】
【特許文献１】特開２０００−１１６９１３号公報
【発明の概要】
【発明が解決しようとする課題】
【０００４】
しかしながら、こうした接続ケーブル保持構造では、螺旋状に形成した信号ケーブルを螺旋軸方向に伸縮することにより、断線を防止しようとしているため、前扉を開く際には、その開き始めから開き終えるときまで、常に螺旋形状による伸縮力が作用することになり、接続ケーブルが貸出データ転送用接続端子や中継基板側の接続端子から引き抜かれてしまう可能性があるという課題がある。また、接続端子から引き抜かれてしまうことを防止する手段として、信号ケーブルを長くすることによって余裕を持たせることが考えられるが、この場合には、前扉を閉める際には貸出データ転送用接続端子と中継基板側の接続端子とが近づいた際に、信号ケーブルが自重により垂れ下がり、通信ケーブルの挟み込みや引っかかり等に起因して断線が生じる可能性があるという課題がある。更に、近年のパチンコ機では、送受信する信号が増えることに伴ってケーブルの数が増加傾向にあるため、ケーブル毎に螺旋を形成すると嵩張ってしまい挟み込みや引っかかり等の要因となる可能性が増大している。しかも、このような場合には、ケーブルを配置する際には必要なスペースも増大するため、配置スペースの確保にも苦慮することになる。
【０００５】
本発明は、このような課題に鑑みなされたものであり、前扉の開閉時における接続ケーブルの挟み込みや引っかかり等に起因して断線が生じる可能性を未然に低減することができる接続ケーブル及び遊技機を提供することを主目的とする。
【課題を解決するための手段】
【０００６】
本発明は、上述の主目的を達成するために以下の手段を採った。
【０００７】
本発明の接続ケーブルは、
被開閉体と前記被開閉体に開閉可能に軸支された開閉体とを電気的に接続する接続ケーブルであって、
伸縮可能な螺旋形状の螺旋部と、
一端側で前記螺旋部と連接し、他端側に設けられた接続部に向けて直線状に延設され、前記開閉体と電気的に接続される第一直線部と、
一端側で前記螺旋部と連接し、他端側に設けられた接続部に向けて直線状に延設され、前記被開閉体と電気的に接続される第二直線部と、
を備え、
前記開閉体の開閉動に伴って、前記第一直線部及び前記第二直線部が、前記螺旋部の螺旋軸に対して回動可能であり、
前記開閉体が前記被開閉体に対し閉じられた状態では、前記第一直線部と前記第二直線部の少なくとも一方が前記螺旋部の螺旋軸に対し同一方向を示さない所定の角度を有して配置されており、
前記開閉体が前記被開閉体に閉じられた状態から開かれるに伴って、前記所定の角度が大きくなり前記螺旋部の弾性により前記螺旋部が撓む動作を行い、後に、前記第一直線部又は前記第二直線部の少なくとも一方と前記螺旋部の螺旋軸とが同一方向を示すに近づくにつれ、前記螺旋部が前記螺旋軸の軸方向に伸張する動作も行うという、前記螺旋部が前記開閉体の開閉角度に応じて異なる２つの動作を行うことを特徴とする、
ものである。
【０００８】
この接続ケーブルは伸縮可能な螺旋部と開閉体の開閉動に伴って螺旋部の螺旋軸に対して回動可能な第一直線部及び第二直線部とを有している。従って、開閉体が開動するに伴って、螺旋部が弾性変形すると共に、第一直線部又は第二直線部の少なくとも一方が螺旋部の螺旋軸に対して回動し、第一直線部又は第二直線部の少なくとも一方と螺旋部の螺旋軸とがなす角度が大きくなる。こうすることにより、開閉体の開動に伴って接続ケーブルにかかる力が螺旋部の有する弾性によって吸収され、開閉体の開動に柔軟に対応することで、接続ケーブルの抜け防止に役立つ。また、開閉体が被開閉体に対して閉じられる際には、螺旋部の弾性力が復元力として螺旋軸の中央に向けて作用することから、接続ケーブルの一部が自重によって垂れ下がったり、開閉体が移動する動線上に移動したりする可能性を低減し、接続ケーブルが挟み込まれたり、引っかかったりすることに起因する断線が生じる可能性を未然に低減することができる。そして、螺旋部は開閉体が開く際において、螺旋部の弾性を利用して撓ませていることから、開閉体を閉じる際には、螺旋部は弾性変形し、開閉体が開く前の状態に戻ろうとするため、優れた収納性を発揮することができる。このとき、開閉体が被開閉体に閉じられた状態から開かれるに伴って、所定の角度が大きくなり螺旋部の弾性により螺旋部が撓む動作を行い、後に、第一直線部又は第二直線部の少なくとも一方と螺旋部の螺旋軸とが同一方向を示すに近づくにつれ、螺旋部が螺旋軸の軸方向に伸張する動作も行う。こうすることで、接続ケーブルが挟み込まれたり、引っかかったりすることに起因する断線が生じる可能性を未然に低減しつつ、接続ケーブルの抜けを防止することができる。なお、「開閉体が移動する動線上」とは、開閉体が開閉する際に移動する軌跡のなかで、開閉体の端部が移動する軌跡を意味する。
【０００９】
本発明の接続ケーブルにおいて、前記螺旋部は、前記開閉体が前記被開閉体に閉じられた状態では、前記螺旋部の螺旋軸の方向が上下方向であり、且つ、前記第一直線部と前記第二直線部の高さ位置を異ならせ、前記開閉体が前記被開閉体から開かれるに伴って、前記螺旋部の螺旋軸の方向が上下方向から水平方向に向かって傾倒し、前記開閉体が前記被開閉体に閉じられるに伴って、前記螺旋部の螺旋軸の方向が水平方向から上下方向に向かって傾起してもよい。こうすることにより、螺旋部を捩りコイルばねのように撓ませることで、開閉体の開動に伴う接続ケーブル全体に作用する負荷を、螺旋部を捩ることにより効率的に吸収し、開閉体の開動に柔軟に対応することができ、接続ケーブルの抜け防止に役立つ。また、螺旋部が撓むことにより螺旋軸が傾倒又は傾起するため、接続ケーブルの全体形状が大きく変形し、開閉体の開動に柔軟、且つ、素早く対応することができる。そして、開閉体が閉じられる際には、螺旋部の弾性力は螺旋軸の中央に向けて作用することから、接続ケーブルの一部が自重によって垂れ下がったり、開閉体が移動する動線上に移動したりする可能性を低減し、接続ケーブルが挟み込まれたり、引っかかったりすることに起因する断線が生じる可能性を未然に低減することができる。そして、螺旋部は開閉体が開く際において、螺旋部の弾性を利用して撓ませていることから、開閉体を閉じる際には、螺旋部が弾性変形し、開閉体が開く前の状態に戻ろうとするため、優れた収納性を発揮することができる。なお、ここで「水平方向」とは、パチンコ遊技機の設置面に対して水平な方向を意味し、「上下方向」とは、パチンコ遊技機の設置面に対して垂直な方向（鉛直方向）を意味するものとする。
【００１０】
この態様を採用した本発明の接続ケーブルにおいて、前記螺旋部は、前記開閉体が前記被開閉体から開かれるに伴って、前記螺旋部の螺旋軸の方向が上下方向から水平方向に向かって傾倒し、且つ、前記螺旋軸の軸方向に伸張し、前記開閉体が前記被開閉体から閉じられるに伴って、前記螺旋軸の軸方向に収縮し、且つ、前記螺旋部の螺旋軸の方向が水平方向から上下方向に向かって傾起してもよい。こうすることにより、開閉体をより大きな角度まで開かせたい場合であっても、螺旋部が螺旋軸方向に伸張することにより、接続ケーブルの抜けを防止しつつ、その大きな開閉角度に柔軟に対応して開閉体を開くことができる。また、開閉体を閉じる際には、まず螺旋部の弾性力が螺旋軸の中央に向かって作用して螺旋部が収縮することから、接続ケーブルの一部が自重によって垂れ下がったり、開閉体が移動する動線上に移動したりする可能性を低減し、接続ケーブルが挟み込まれたり、引っかかったりすることに起因する断線が生じる可能性を未然に低減することができる。
【００１１】
本発明の接続ケーブルは、前記開閉体が前記被開閉体に閉じられた状態では、前記螺旋部の螺旋軸の方向が前後方向となるように前記螺旋部が配置され、且つ、前記第一直線部及び前記第二直線部が前記螺旋部の上端と下端の間にそれぞれ配置されてもよい。また、本発明の接続ケーブルは、前記開閉体が前記被開閉体に閉じた状態では、前記螺旋部の螺旋軸の方向が水平方向となるように前記螺旋部が配置され、且つ、前記第一直線部と前記第二直線部が前記螺旋部の上端と下端の間に配置されてもよい。こうすることにより、開閉体が被開閉体に対して開かれる際には、開閉体の開動に伴い接続ケーブル全体に作用する負荷を、螺旋部の弾性力により効率的に吸収し、開閉体の開動に柔軟に対応することができ、接続部の抜け防止にも役立つ。また、開閉体が被開閉体に閉じられた状態において、螺旋部の螺旋軸の方向が上下方向であり、且つ、前記第一直線部又は前記第二直線部が前記螺旋部の上端より上方又は下端より下方に配置した場合と比較して、接続ケーブルが占有する領域をより減少させることが可能となるため、特に、接続ケーブルが開閉体の上部又は下部に取り付けられた場合には、遊技機の遊技領域を広く確保することができ、接続ケーブルの一部が遊技者に視認される可能性を未然に低減することができる。
【００１２】
この態様を採用した本発明の接続ケーブルにおいて、前記螺旋部は、前記開閉体が前記被開閉体から開かれるに伴って、前記開閉体が開く方向に前記螺旋部の螺旋軸が移動し、且つ、螺旋軸の方向に伸張し、前記開閉体が前記被開閉体から閉じられるに伴って、螺旋軸の方向に収縮し、且つ、前記開閉体が閉じる方向に前記螺旋部の螺旋軸が移動してもよい。こうすることにより、開閉体をより大きな角度まで開かせたい場合であっても、螺旋部が螺旋軸方向に伸張し、接続ケーブルの抜けを防止しつつ、より大きな開閉角度に柔軟に対応して開くことができる。また、開閉体を閉じる際には、まず螺旋部の弾性力が螺旋軸の中央に向かって作用し収縮することから、接続ケーブルの一部が自重によって垂れ下がったり、開閉体が移動する動線上に移動したりする可能性を低減し、接続ケーブルが挟み込まれたり、引っかかったりすることに起因する断線が生じる可能性を未然に低減することができる。
【００１３】
本発明の接続ケーブルにおいて、前記接続ケーブルは、複数の接続ケーブルからなり、前記螺旋部は、複数の前記接続ケーブルを結束する結束部を両端側に有していてもよい。こうすれば、複数の接続ケーブルの束によって螺旋部が形成されるため、単一の接続ケーブルで螺旋部を形成する場合と比較して、螺旋部の弾性力をより強くすることができる。言い換えると、接続ケーブル全体の形状をより強固に維持することができるため、接続ケーブルの一部が開閉体が移動する動線上に移動したりして、開閉体の開閉時に、接続ケーブルが挟み込まれたり引っかかったり等することに起因して断線が生じる可能性を未然に低減することができる。
【００１４】
本発明の接続ケーブルにおいて、前記第一直線部と前記第二直線部は、前記開閉体が前記被開閉体に閉鎖された状態で、前記第一直線部と前記第二直線部の方向が略同一の方向に配置されていてもよい。こうすれば、開閉体が被開閉体に閉じた状態で、第一直線部、螺旋部及び第二直線部がコの字型を形成することになる。こうすることにより、開閉体が被開閉体に対して開閉される際には、開閉体の開閉動に伴う開閉体側から接続ケーブル全体に作用する負荷と、被開閉体側から接続ケーブル全体に作用する負荷とが、第一直線部と第二直線部の間に位置する螺旋部の弾性力に作用することにより、コの字型を形成していない場合と比較してより効率的に吸収し、開閉体の開閉動を柔軟に対応することができ、接続部の抜け防止にも役立つ。
【００１５】
本発明の遊技機は、上述したいずれか１つに記載の接続ケーブルを備えたものである。この遊技機は、上述したいずれか１つの接続ケーブルを備えるから、これと同様の効果、例えば、開閉体の開閉時に、接続ケーブルの一部が自重によって垂れ下がったり、開閉体が移動する動線上に移動したりする可能性を低減し、接続ケーブルが挟み込まれたり、引っかかったりすることに起因する断線が生じる可能性を未然に低減することができるという効果を得ることができる。
【図面の簡単な説明】
【００１６】
【図１】図１は、パチンコ遊技機２０の構成の概略を示す概略図である。
【図２】図２は、パチンコ遊技機２０の正面図である。
【図３】図３は、パチンコ遊技機２０の構成の概略の一部を示す部分拡大斜視図である。
【図４】図４は、パチンコ遊技機２０の背面図である。
【図５】図５は、パチンコ遊技機２０内の電気的接続の概略を示すブロック図である。
【図６】図６は、前面枠６０の開放時の接続ケーブル７０の動きを説明するための説明図である。
【図７】図７は、他の実施の形態におけるパチンコ遊技機１２０の構成の概略の一部を示す拡大部分斜視図である。
【図８】図８は、他の実施形態における前面枠６０の開放時の接続ケーブル７０の動きを説明するための説明図である。
【発明を実施するための形態】
【００１７】
ここで、上記簡単に説明した図面に基づいて、本発明を実施するための形態を説明するにあたり、本実施の形態の構成要素と本発明の構成要素との対応関係を明らかにする。本実施の形態のパチンコ遊技機２０及びパチンコ遊技機１２０が遊技機に相当し、接続ケーブル７０が接続ケーブルに相当し、本体枠３０が被開閉体に相当し、前面枠６０が開閉体に相当し、螺旋部７２が螺旋部に相当し、第一直線部７４ａが第一直線部に相当し、第二直線部７４ｂが第二直線部に相当し、雌型接続コネクタ７６ａ及び雌型接続コネクタ７６ｂが接続部に相当し、結束部７９が結束部に相当する。なお、パチンコ遊技機２０の前面枠６０の開閉操作を説明することにより、本発明の遊技機の動作の一例も明らかにしている。
【００１８】
次に、図１〜図５を用いて、本発明の実施の形態の一例であるパチンコ遊技機２０の構成を詳しく説明する。パチンコ遊技機２０は、図１に示すように、パチンコホール等の島に上板と下板との間に挟持されて支持される外枠２２と、外枠２２に軸支される本体枠３０と、本体枠３０の一側に設けられ図示しない蝶番により開閉可能に軸着される前面枠６０と、を備えている。
【００１９】
本体枠３０は、図２に示すように、遊技領域５１を含む遊技盤５０と、前面下部の一側方位置に回転可能に設けられた発射ハンドル３２と、前面下部に設けられ図示しない遊技球を貯留する球受皿３４と、球受皿３４の下部であって本体枠３０の両側部に設けられ演出音等を放音するスピーカ３６と、を備えている。また、本体枠３０の裏面側には、図４に示すように、上部に設けられた球タンク３８から賞球又は貸球を供給する球払出装置４０と、封入ケースに封入された球払出制御基板４８及び主制御基板８０を含む主基板等が設けられている。
【００２０】
遊技盤５０は、図２に示すように、略中央部に位置し入賞等による各種演出を表示する大型の液晶パネルを有する図柄変動表示装置５２や図柄変動表示装置５２の下方に位置する大入賞口５８及び大入賞口５８の両側方向に位置する複数の入賞口５６を有し、風車や多数の障害釘からなる障害釘群が表面に適宜配置される遊技領域５１を有している。球受皿３４内の図示しない遊技球は、図示しない打球供給装置を経由して図示しない打球発射装置に導かれ、発射ハンドル３２の回転度に応じた強さで遊技領域５１内に発射される。図示しない発射装置によって障害釘群や入賞口５６等を有する遊技領域５１内に射出された遊技球は、風車や障害釘群を通過して入賞口５６や大入賞口５８に到達すると、入賞口５６や大入賞口５８に設けられた入賞球スイッチ４６（図５参照）によって検出され、主制御基板８０が入賞信号を受信することによって入賞として扱われる。この場合には、主制御基板８０より球払出制御基板４８に球払出信号が発信され、球タンク３８から球払出装置４０を介して賞球が球受皿３４に供給されることにより、遊技者は賞球を得ることができる。
【００２１】
主制御基板８０は、図５に示すように、ＣＰＵ８１を中心とするマイクロプロセッサとして構成されており、遊技の演出を行う遊技プログラム等の各種プログラムを記憶したＲＯＭ８２と、一時的にデータを記憶するＲＡＭ８３と、がそれぞれ電気的に接続された状態で配設されている。この主制御基板８０は、各種基板及び皿満タンスイッチ４２や空切り防止スイッチ４４等の各種スイッチと電気的に接続されており、各種信号の送受信を行っている。図示しない遊技球が始動入賞口５４に入賞すると、始動入賞口５４に設けられた入賞球スイッチ４６から入賞信号がＣＰＵ８１に入力され、ＲＯＭ８２に予め記憶されている遊技プログラムに従い抽選が行われる。この抽選により所定の確率で大当たりが招来されると、図柄変動表示装置５２やスピーカ３６に各種演出を出力する出力信号を出力すると共に、球払出制御基板４８を介して球払出装置４０に球払出信号を出力し、球払出装置４０より賞球が払出される。
【００２２】
前面枠６０は、図１に示すように、中央部にガラスやプラスチックからなる透明板６２を有し、透明板６２の周囲であって、前面枠６０の四隅付近は不透明な不透明部６４が設けられている。また、図２に示すように、透明板６２の上部には装飾ランプ６６が設けられており、装飾ランプ６６と本体枠３０とは、接続ケーブル７０によって電気的に接続されている。前面枠６０が閉じられた際には、遊技領域５１が透明板６２越しに視認可能な状態となる一方で、接続ケーブル７０は不透明部６４の裏面側に位置することになるため、視認することができない。
【００２３】
接続ケーブル７０は、図３に示すように、導線の表面を絶縁体で被覆したケーブルの束であり、遊技盤５０の軸支側上部であって、前面枠６０が閉じられた際には、不透明部６４によって遊技者から視認できない位置に設けられている。この接続ケーブル７０は、中央部に螺旋形状であって伸縮可能な螺旋部７２が、螺旋部７２の両端には第一直線部７４ａ及び第二直線部７４ｂ（以下、「直線部７４」とも言う）が、接続ケーブル７０の両端部には雌型接続コネクタ７６ａ及び雌型接続コネクタ７６ｂ（以下、「雌型接続コネクタ７６」とも言う）がそれぞれ設けられており、前面枠６０と本体枠３０とにそれぞれ設けられた雄型接続コネクタ７８ａ及び雄型接続コネクタ７８ｂ（以下、「雄型接続コネクタ７８」とも言う）に電気的に接続可能となっている。この螺旋部７２は、複数本の接続ケーブルの両端部に雌型接続コネクタ７６ａ及び雌型接続コネクタ７６ｂを組み付けた後、この複数本のケーブルの中央部を棒状の芯材等に巻き付けることにより、同一周期で円柱状に弾性を有した螺旋形状を形成し、その螺旋形状の端部（直線部７４の螺旋部７２側の端部）をテープや結束バンド、又は配線をきつく捩って解けないようにした部位である結束部７９で固定したものである。こうすることにより、単一のケーブルで螺旋形状を作った場合には期待することができない、復元力と結束力を得ることができる。この復元力により、一定の力によって螺旋形状が変形した場合であっても、弾性力により元の形状に復元することができる。言い換えると、前面枠６０の開閉という限定的な範囲内であれば、螺旋形状を保持し続けることのできる螺旋部７２を容易に形成することができる。更に、螺旋部７２の端部（直線部７４の螺旋部７２側の端部）を結束部７９で固定することにより、前面枠６０の繰り返し行われる開閉動により螺旋部７２の螺旋形状の形状が緩み維持できなくなることを回避し、螺旋部７２の弾性力を収束する（拡散しない）ことで、より高い弾性変形力を実現可能となる。なお、図中の螺旋部７２の螺旋の巻き数は説明の都合上、実際の数より少ない。
【００２４】
ここで、接続ケーブル７０の取り付け位置について、更に詳しく説明する。接続ケーブル７０は、図３に示すように、本体枠３０に設けられた雄型接続コネクタ７８ｂに雌型接続コネクタ７６ｂが、前面枠６０に設けられた雄型接続コネクタ７８ａに雌型接続コネクタ７６ａがそれぞれ接続されており、本体枠３０と前面枠６０とを電気的に接続している。このとき、雄型接続コネクタ７８ｂの位置は、雄型接続コネクタ７８ａの位置よりも螺旋軸７１の軸方向に収縮した状態の螺旋部７２の長さと同じ長さだけ低い位置に設けられているため、前面枠６０が本体枠３０に閉じられた状態では、第一直線部７４ａと第二直線部７４ｂとが螺旋部７２の螺旋軸７１（図６参照）に対して略９０°の角度に位置するように螺旋部７２の両端部にて連通し、螺旋部７２の螺旋軸７１を上下方向に向けて配置され、第一直線部７４ａ、螺旋部７２及び第二直線部７４ｂがコの字型を形成する。こうすることにより、コの字型を形成していない場合と比較して、前面枠６０が本体枠３０から開かれる際の開動に伴う第一直線部７４ａの変位をより柔軟に対応することができる。更に、接続ケーブル７０の全体の形状をより強固に維持することができるため、接続ケーブル７０の一部が自重により垂れ下がったり、前面枠６０の動線上に移動したりして、前面枠６０を閉じる際に、接続ケーブルが挟み込まれたり引っかかったり等することに起因して断線が生じる可能性を未然に低減することができる。
【００２５】
次に、こうして構成された本実施の形態のパチンコ遊技機２０における前面枠６０の開閉操作、特に、開閉操作時における接続ケーブル７０の動きについて、図６を用いて詳しく説明する。ここで、図６は、前面枠６０の開放時の接続ケーブル７０の動きを説明するための説明図であり、本体枠３０、前面枠６０及び接続ケーブル７０を上方から見た状態を模式的に示したものである。図６中、（Ａ）は前面枠６０が本体枠３０に閉じられた状態を、（Ｂ）〜（Ｄ）は前面枠６０が本体枠３０から徐々に開放されていく状態をそれぞれ示している。また、図６中における螺旋軸７１は螺旋部７２の螺旋構造を説明するための仮想軸である。パチンコ遊技機２０を使用する際には、図２に示すように、前面枠６０は本体枠３０に閉じた状態で使用される。しかしながら、玉詰まり等の故障や調整等により前面枠６０を開く必要がある場合がある。このときは、図示しない鍵で解錠し、前面枠６０の一端側に設けられた軸６１を回転軸として、前面枠６０の他端側を本体枠３０から遠ざかる方向に回動する。このとき前面枠６０の開閉角度が小さい場合には、図６（Ｂ）に示すように、前面枠６０が開かれるに伴い、前面枠６０の回動によって発生した回動力が前面枠６０に設けられた雄型接続コネクタ７８ａから、雌型接続コネクタ７６ａ、第一直線部７４ａ、螺旋部７２、第二直線部７４ｂ、雌型接続コネクタ７６ｂ、本体枠３０に設けられた雄型接続コネクタ７８ｂの順に伝達することになる。この回動力が順に伝達する際に、前面枠６０が本体枠３０に閉じられた状態では、第一直線部７４ａ及び第二直線部７４ｂが螺旋部７２と連接してコの字型に配置されているから、第一直線部７４ａ及び第二直線部７ｂが互いに遠ざかる方向に移動しようとする際に、螺旋部７２の弾性を利用して螺旋部７２を撓ませることにより効果的に回動力を吸収し、接続ケーブル７０の抜けを防止しつつ、前面枠６０の開動に柔軟に対応することができる。このようにして、第一直線部７４ａの雌型接続コネクタ７６ａと第二直線部７４ｂの雌型接続コネクタ７６ｂとは螺旋軸７１を中心として互いに遠ざかる方向に移動するに伴って、前面枠６０の回動力により、第一直線部７４ａが螺旋部７２を前面枠６０側に引っ張るため、螺旋部７２は前面枠６０側に傾倒し始める。
【００２６】
そして、前面枠６０の開放角度が大きくなるように軸６１を回転中心として前面枠６０を開くと、図６（Ｃ）に示すように、前面枠６０に設けられた雄型接続コネクタ７８ａと本体枠３０に設けられた雄型接続コネクタ７８ｂとの距離が大きく離れる。この際に、前面枠６０からの回動力は、前面枠６０に設けられた雄型接続コネクタ７８ａから雌型接続コネクタ７６ａ、第一直線部７４ａ、螺旋部７２の順で伝達し、螺旋部７２を捩りコイルばねのように撓ませることで、回動力が螺旋部７２の弾性力により効果的に吸収され、前面枠６０の開動に柔軟に対応することができ、雌型接続コネクタ７６と雄型接続コネクタ７８との抜け防止にも役立つ。また、螺旋部７２の螺旋軸７１が上下方向から水平方向に向けて大きく傾倒し、螺旋部７２が前面枠６０の方向に傾倒することで、第一直線部７４ａと第二直線部７４ｂ、螺旋部７２がそれぞれ形状を維持したままの状態で、接続ケーブル７０の全体形状が大きく直線状に変形し、前面枠６０の開動に柔軟、且つ、素早く対応することができる。
【００２７】
前面枠６０の開放角度を更に大きな角度まで開かせたい場合には、図６（Ｄ）に示すように、軸６１を回転中心として更に前面枠６０を開くことになる。このような場合には、前面枠６０に設けられ雄型接続コネクタ７８ａと本体枠３０とに設けられた雄型接続コネクタ７８ｂとの距離が更に離れ、前面枠６０の回動力が前面枠６０に設けられた雄型接続コネクタ７８ａから、雌型接続コネクタ７６ａ、第一直線部７４ａの順に伝達され、螺旋部７２が前面枠６０の方向に引っ張られることになる。このようにして、螺旋部７２が上下方向から水平方向に向けて大きく傾倒し、且つ、螺旋部７２が螺旋軸７１の軸方向に伸張することで、前面枠６０の開放角度を更に大きく開かせた場合であっても、接続ケーブル７０の抜けを防止しつつ、柔軟に対応させて開くことができる。
【００２８】
次に、前面枠６０を閉じる際の動きについて説明する。上述したように、前面枠６０の開放角度が更に大きく開放されている状態では、図６（Ｄ）に示すように、螺旋部７２の螺旋軸７１が水平方向に向かって大きく傾倒し、且つ、螺旋軸７１の軸方向に伸張した状態となっている。この状態から、軸６１を回転軸として本体枠３０に向かって前面枠６０を閉じると、まず、螺旋部７２の弾性力が螺旋軸７１の中央に向けて作用し収縮する（図６（Ｃ）参照）。伸縮する螺旋部７２を有しない場合には、前面枠６０の開放角度を更に大きく開放する際に、その開放角度に対応すべく接続ケーブルの全長を予め長くしておく必要があるが、伸縮する螺旋部７２を設けることにより、伸縮する螺旋部７２を有しない場合と比較して、接続ケーブル７０の一部が垂れ下がり難いため、前面枠６０を閉じる際に、接続ケーブル７０の一部が弛んだり、自重により垂れ下がったりして、前面枠６０と本体枠３０との間に挟み込まれたり、引っかかったりすることに起因する断線が生じる可能性を未然に低減することができる。
【００２９】
前面枠６０を更に閉じると、図６（Ｂ）に示すように、前面枠６０に設けられた雄型接続コネクタ７８ａから、雌型接続コネクタ７６ａ、第一直線部７４ａの順に回動力が伝達し、螺旋部７２が押圧される。そして、螺旋部７２を介して第二直線部７４ｂ、雌型接続コネクタ７６ｂ、本体枠３０に設けられた雄型接続コネクタ７８ｂの順に伝達することになる。このように回動力が順に伝達する際に、螺旋部７２の螺旋軸７１が水平方向から上下方向に向けて大きく傾起し、螺旋部７２の螺旋軸７１が本体枠３０の方向に傾起することで、第一直線部７４ａ、第二直線部７４ｂ及び螺旋部７２はそれぞれ形状を維持したまま接続ケーブル７０の全体形状としては大きくコの字型に変形し、前面枠６０の閉動に柔軟に、かつ素早く対応可能となる。また、回動力が順に伝達する際も、螺旋部７２の弾性力は螺旋軸７１の中心に向けて更に作用し続けることから、前面枠６０を閉じる際に、接続ケーブル７０の一部が弛んだり、自重により垂れ下がったりして、前面枠６０と本体枠３０との間に挟み込まれたり、引っかかったりすることに起因する断線が生じる可能性を未然に低減することができる。そして、螺旋部７２は前面枠６０を開く際において、螺旋部７２を捩りコイルバネのように撓ませていることから、前面枠６０を閉じる際には、螺旋部７２は弾性変形し、接続ケーブル７０を前面枠６０が開く前の所定の位置に戻そうとし、優れた収納性を発揮することとなる。
【００３０】
前面枠６０を完全に閉じる場合には、図６（Ａ）に示すように、前面枠６０の回動力により前面枠６０に設けられた雄型接続コネクタ７８ａから雌型接続コネクタ７６ａ、第一直線部７４ａの順に螺旋部７２を更に押圧する。そして、螺旋部７２を介して第二直線部７４ｂ、雌型接続コネクタ７６ｂ、本体枠３０に設けられた雄型接続コネクタ７８ｂの順に回動力が伝達することとなる。この際も、回動力が順に伝達する際に、螺旋部７２の弾性力は螺旋軸７１の中央に向けて更に作用することから、接続ケーブル７０の一部が弛んだり、自重により垂れ下がったりして、前面枠６０と本体枠３０との間に挟み込まれたり、引っかかったりすることに起因する断線が生じる可能性を未然に低減することができる。このようにして、第一直線部７４ａの雌型接続コネクタ７６ａと第二直線部７４ｂの雌型接続コネクタ７６ｂとは、螺旋部７２を中心としてお互い近づく方向に移動する。それに伴い、前面枠６０の回動力により、第一直線部７４ａが螺旋部７２を押圧し、螺旋部７２の螺旋軸７１が前面枠６０側に傾起する。
【００３１】
以上詳述した本実施の形態のパチンコ遊技機２０によれば、接続ケーブル７０に伸縮可能な螺旋形状の螺旋部７２と前面枠６０の開動に伴って螺旋部７２の螺旋軸７１に対して回動可能な第一直線部７４ａ及び第二直線部７４ｂとが備えられているため、前面枠６０が開動するに伴って、螺旋部７２が弾性変形により伸縮すると共に、第一直線部７４ａ及び第二直線部７４ｂが螺旋部７２の螺旋軸７１に対して回動し、第一直線部７４ａ及び第二直線部７４ｂと螺旋部７２の螺旋軸７１とがなす角度が大きくなる。こうすることにより、前面枠６０の開動に伴って接続ケーブル７０にかかる力が螺旋部の有する弾性によって吸収され、前面枠６０の開動に柔軟に対応することで、接続ケーブル７０の抜け防止に役立つ。また、前面枠６０を閉じる際には、弾性力が螺旋部７２の中心に向けて作用することから、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。そして、螺旋部７２は前面枠６０を開く際において、螺旋部７２の弾性を利用して撓ませていることから、前面枠６０を閉じる際には、螺旋部７２が弾性変形し、接続ケーブル７０を前面枠６０が開く前の所定の位置に戻ろうとし、優れた収納性を発揮することができる。
【００３２】
また、螺旋部７２は、前面枠６０が本体枠３０に閉じられた状態では、螺旋部７２の螺旋軸７１の方向が上下方向であり、且つ、第一直線部７４ａと第二直線部の高さ位置を異ならせ、前面枠６０が本体枠３０から開かれるに伴って、螺旋部７２の螺旋軸７１の方向が上下方向から水平方向に向かって傾倒し、前面枠６０が本体枠３０に閉じられるに伴って、螺旋部７２の螺旋軸７１の方向が水平方向から上下方向に向かって傾起するため、螺旋部７２が捩りコイルばねのように撓むことで、前面枠６０の開動に伴って接続ケーブル７０全体に作用する負荷を、螺旋部７２を捩ることにより効果的に吸収することができ、前面枠６０の開動に柔軟に対応することができ、雌型接続コネクタ７６と雄型接続コネクタ７８とが抜け防止にも役立つ。また、螺旋部７２が撓むことにより、螺旋部７２の螺旋軸７１が傾倒するため、接続ケーブル７０の全体形状としては大きく直線状に変形し、前面枠６０の開動に柔軟に、かつ、素早く対応可能となる。前面枠６０を開く際において、螺旋部７２は捩りコイルばねのように撓まされていることから、前面枠６０を閉じる際には、螺旋部７２が弾性変形し、前面枠６０を開く前の所定の位置に戻そうとし、優れた収納性を発揮することとなる。
【００３３】
更に、螺旋部７２は、前面枠６０が本体枠３０から開かれるに伴って、螺旋部７２の螺旋軸７１の方向が上下方向から水平方向に向かって傾倒し、且つ、螺旋軸７１の軸方向に伸張し、前面枠６０が本体枠３０に閉じられるに伴って、螺旋軸７１の軸方向に伸縮し、且つ、螺旋部７２の螺旋軸７１の方向が水平方向から上下方向に向かって傾起するため、前面枠６０をより大きな角度まで開かせたい場合であっても、螺旋部７２が螺旋軸７１の軸方向に伸張することにより、接続ケーブル７０の抜けを防止しつつ、その大きな開閉角度に柔軟に対応させ開くことができる。また、前面枠６０を閉じる際には、まず螺旋部７２の弾性力が螺旋部７２の中心に向けて作用し収縮することから、接続ケーブル７０が垂れ下がる可能性を低減し、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。
【００３４】
更にまた、接続ケーブル７０は複数の接続ケーブルの束であり、螺旋部７２の両端側には複数の接続ケーブルを結束する結束部７９を有しているため、接続ケーブル７０は単一の接続ケーブルによって螺旋部７２を形成する場合と比較して、螺旋部７２の弾性力をより強くすることができる。言い換えると、接続ケーブル７０全体の形状をより強固に維持することができるため、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。
【００３５】
次に、図７及び図８を用いて、他の実施の形態におけるパチンコ遊技機１２０における接続ケーブル７０の動きについて説明する。なお、パチンコ遊技機１２０の構成は、接続ケーブル７０が取り付けられる際の螺旋軸７１の軸方向が異なること以外はパチンコ遊技機２０と同様であるため、パチンコ遊技機２０と同様の番号を付し、それぞれの構成に関する説明は省略する。ここで、図７は、他の実施の形態におけるパチンコ遊技機１２０の構成の概略の一部を示す拡大部分斜視図である。また、図８は、前面枠６０の開放時の接続ケーブル７０の動きを説明するための説明図であり、本体枠３０、前面枠６０及び接続ケーブル７０を上方から見た状態を模式的に示したものである。図８中、（Ａ）は前面枠６０が本体枠３０に閉じられた状態を、（Ｂ）〜（Ｄ）は前面枠６０が本体枠３０から徐々に開かれていく状態をそれぞれ示している。
【００３６】
パチンコ遊技機１２０における前面枠６０を開閉する際には、図示しない鍵で解錠し、前面枠６０の一端側に設けられた軸６１を回転軸として、前面枠６０の他端側を本体枠３０から遠ざかる方向に回動する。このとき前面枠６０の開閉角度が小さい場合には、図８（Ｂ）及び（Ｃ）に示すように、前面枠６０が開かれるに伴い、前面枠６０の回動によって発生した回動力が前面枠６０に設けられた雄型接続コネクタ７８ａから、雌型接続コネクタ７６ａ、第一直線部７４ａ、螺旋部７２、第二直線部７４ｂ、雄型接続コネクタ７８ｂ、本体枠３０に設けられた雄型接続コネクタ７８ｂの順に回動力が伝達されることになる。この回動力が順に伝達される際に、前面枠６０が本体枠３０に閉じられた状態では、第一直線部７４ａ及び第二直線部７４ｂが螺旋部７２と連接してコの字型に配置されているから、第一直線部７４ａ及び第二直線部７ｂが互いに遠ざかる方向に移動しようとする際に、螺旋部７２の弾性を利用して螺旋部７２を撓ませることにより効果的に回動力を吸収し、接続ケーブル７０の抜けを防止しつつ、前面枠６０の開動に柔軟に対応することができる。このようにして、第一直線部７４ａの雄型接続コネクタ７８ａと第二直線部７４ｂの雌型接続コネクタ７６ｂとは、螺旋部７２を中心として互いに遠ざかる方向に移動し、螺旋部７２が螺旋軸７１の軸方向に向かって前面枠６０側に移動する。
【００３７】
前面枠６０の開放角度まで更に大きな角度まで開かせたい場合には、図８（Ｄ）に示すように、軸６１を回転中心として更に前面枠６０を開くこととなる。このような場合には、前面枠６０に設けられた雄型接続コネクタ７８ａと本体枠３０に設けられた雌型接続コネクタ７６ｂとの距離が更に離れることになるが、前面枠６０の回動力は前面枠６０に設けられた雄型接続コネクタ７８ａから、雌型接続コネクタ７６ａ、第一直線部７４ａの順に伝達され、螺旋部７２を引っ張ることとなる。このようにして、螺旋部７２が螺旋軸７１の軸方向に向かって前面枠６０側に移動し、且つ、螺旋部７２が螺旋軸７１の軸方向に伸張することで、接続ケーブル７０の抜けを防止しつつ、その大きな開閉角度に柔軟に対応させ開くことができる。
【００３８】
次に、前面枠６０を閉じる際の動きについて説明する。上述したように、前面枠６０の開放角度が大きく開放されている状態では、図８（Ｄ）に示すように、螺旋部７２が螺旋軸７１の軸方向に沿って前面枠６０側に移動し、且つ、伸張した状態となっている。この状態から、軸６１を回転軸として本体枠３０に向かって前面枠６０を閉じると、まず、螺旋部７２が螺旋軸７１の軸方向に向かって収縮し、螺旋部７２の全長が収縮する（図８（Ｃ）参照）。伸縮する螺旋部７２を有しない場合には、前面枠６０の開放角度を更に大きく開放する際に、その開放角度に対応すべく接続ケーブル７０の全長を予め長くしておく必要があるが、前面枠６０を閉じるに伴って、まず螺旋部７２の弾性力は螺旋軸７１の中央に向けて作用し収縮するため、伸縮する螺旋部７２を有しない場合と比較して、接続ケーブル７０が垂れ下がる可能性が低減し、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性をより低減することができる。
【００３９】
更に軸６１を回転軸として本体枠３０に向かって前面枠６０を閉じると、図８（Ｂ）に示すように、前面枠６０の移動に伴い、前面枠６０の回動力が前面枠６０に設けられた雄型接続コネクタ７８ａから、雌型接続コネクタ７６ａ、第一直線部７４ａの順に伝達し、螺旋部７２が押圧される。そして、螺旋部７２を介して第二直線部７４ｂ、雄型接続コネクタ７８ｂ、本体枠３０に設けられた雄型接続コネクタ７８ｂの順に回動力が伝達することとなる。回動力が順に伝達する際に、螺旋部７２の弾性力は螺旋軸７１の中心に向けて更に作用することから、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。そして、螺旋部７２は前面枠６０を開く際において、螺旋部７２の弾性を利用して撓ませていることから、前面枠６０を閉じる際には、螺旋部７２が弾性変形し、接続ケーブル７０を前面枠６０が開く前の所定の位置に戻そうとし、優れた収納性を発揮することになる。このようにして、第一直線部７４ａの雌型接続コネクタ７６ａと第二直線部７４ｂの雌型接続コネクタ７６ａとは螺旋部７２を中心として互いに近づく方向に移動し、螺旋部７２が螺旋軸７１の軸方向に向かって本体枠３０側に移動する。このため、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。
【００４０】
以上詳述した本実施の形態のパチンコ遊技機１２０によれば、前面枠６０が本体枠３０に閉じた状態では、螺旋部７２の螺旋軸７１の軸方向が水平方向となるように螺旋部７２が配置され、且つ、前記第一直線部及び前記第二直線部が前記螺旋部の上端と下端の間にそれぞれ配置されている。このとき、螺旋部７２の螺旋軸７１の軸方向は前後方向でもある。このため、前面枠６０が本体枠３０から開かれる際には、前面枠６０の移動に伴って第一直線部７４ａが移動し、螺旋部７２が前面枠６０の移動方向と同じ方向に容易に移動することができる。言い換えると、前面枠６０が開かれるに伴って、回動力が螺旋部７２の弾性力により効果的に吸収され、前面枠６０の開動に柔軟に対応できると共に、前面枠６０を閉じる時に、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。同時に、接続ケーブル７０が上下方向に占有する領域が狭くなるため、パチンコ遊技機２０の遊技領域を広く確保した場合であっても、接続ケーブル７０が遊技者に視認される可能性を未然に低減することができる。
【００４１】
また、前面枠６０が本体枠３０の方向に閉じるに伴って、螺旋部７２が前面枠６０に対して開く方向に移動し、且つ、螺旋部７２の螺旋軸７１の軸方向に伸張するため、前面枠６０をより大きな角度まで開かせたい場合であっても、接続ケーブル７０の抜けを防止しつつ、その大きな開閉角度に対応することができる。そして、前面枠６０を閉じる際には、まず、螺旋部７２の弾性力が螺旋部７２の中心に向けて作用し収縮することから、接続ケーブル７０が垂れ下がる可能性を低減し、接続ケーブル７０の少なくとも一部が自重等によって垂れ下がったり、前面枠６０が移動する動線上に移動したりして、前面枠６０を閉じる際に、接続ケーブル７０が挟み込まれたり引っかかったり等することに起因して断線が生じる可能性を未然に低減することができる。
【００４２】
なお、本発明は上述した実施形態に何ら限定されることはなく、本発明の技術的範囲に属する限り種々の態様で実施し得ることはいうまでもない。
【００４３】
例えば、上述した実施の形態では、雌型接続コネクタ７６ａは雌型接続コネクタ７６ｂよりも収縮した状態の螺旋部７２の長さだけ低い位置に取り付けられているものとしたが、雌型接続コネクタ７６ａが雌型接続コネクタ７６ｂよりも高い位置に取り付けられていても良い。この場合も、上述した実施の形態と同様の効果が得られる。また、雌型接続コネクタ７６ａと雌型接続コネクタ７６ｂとの高さ方向の間隔は、収縮した状態の螺旋部７２の長さに限定されるものでないが、収縮した状態の螺旋部７２の長さよりも長いことが好ましい。収縮した状態の螺旋部７２の長さより長い場合には、螺旋部７２を螺旋軸７１の軸方向が上下方向に配置することができるためである。
【００４４】
上述した実施の形態では、接続ケーブル７０は本体枠３０の軸支側上部に設けられるものとしたが、本体枠３０の軸支側下部に設けられても良い。接続ケーブル７０は、接続ケーブル７０の自重によって垂れ下がったり、接続ケーブル７０の一部が前面枠６０が移動する動線上に移動したりして、前面枠６０の開閉時に、接続ケーブル７０が挟み込まれたり引っかかったり等することに起因して断線が生じる可能性を未然に低減することができるため、接続ケーブル７０を本体枠３０の下部に取り付けることができ、パチンコ遊技機２０の設計の自由度を増加させることができる。
【００４５】
上述した実施の形態では、前面枠６０が本体枠３０に閉じられた状態では、第一直線部７４ａ及び第二直線部７４ｂが略同一の方向に配置されるものとしたが、第一直線部７４ａは、螺旋部７２から本体枠３０の開放端側に向け、前面枠６０の裏面に平行に沿うように配置され、第二直線部７４ｂは、螺旋部７２から本体枠３０の開放端側に向け、本体枠３０の裏面側に平行に沿うように配置されても良い。こうすれば、前面枠６０の開動に伴って接続ケーブル７０にかかる負荷を螺旋部７２の撓みや捩り作用に効率的に変換することができるため、接続ケーブル７０が断線する可能性を未然に低減することができる。
【００４６】
上述した実施の形態において、前面枠６０が本体枠３０に閉じられた状態では、第一直線部７４ａ及び第二直線部７４ｂが略同一の方向に配置されるものとしたが、第一直線部７４ａが前面枠６０と接続されておらず、且つ、第二直線部７４ｂが本体枠３０と接続されていない状態では、螺旋部７２の螺旋軸７１を軸方向から見た場合に、第一直線部７４ａと第二直線部７４ｂとが形成する角度は、０°以上９０°以下が望ましい。この角度が９０°より大きくなると、前面枠６０を本体枠３０に閉じた際に螺旋部７２に負担がかかりすぎて変形してしまうため好ましくなく、角度が０°以上９０°以下の場合には、螺旋部７２の弾性力を効率的に活用することができるため好ましい。
【００４７】
上述した実施の形態において、雄型接続コネクタ７８ａ及び雄型接続コネクタ７８ｂは、前面枠６０又は本体枠３０に設けられるものとしたが、雄型接続コネクタ７８ａが前面枠６０の裏面に平行に沿うように配置され、雄型接続コネクタ７８ｂが本体枠３０の表面に平行に沿うように配置されていてもよい。こうすれば、雌型接続コネクタ７６ａを雄型接続コネクタ７８ａに前面枠６０に対して平行方向に差し込み、雌型接続コネクタ７６ｂを雄型接続コネクタ７８ｂに本体枠３０に対して平行方向に差し込むことで、前面枠６０を本体枠３０に閉じた際に、雌型接続コネクタ７６同士が衝突したり、雌型接続コネクタ７６と接続ケーブル７０の一部とが緩衝したりする可能性を未然に低減することができるため、接続ケーブル７０が断線する可能性を未然に低減することができる。
【００４８】
上述した実施の形態において、雄型接続コネクタ７８ａ及び雄型接続コネクタ７８ｂは、前面枠６０又は本体枠３０に設けられるものとしたが、雄型接続コネクタ７８ａが前面枠６０の裏面に直交するように配置され、雄型接続コネクタ７８ｂが本体枠３０の表面に直交するように配置されていてもよい。こうすれば、雌型接続コネクタ７６ａを雄型接続コネクタ７８ａに前面枠６０に対して直交方向に差し込み、雌型接続コネクタ７６ｂを雄型接続コネクタ７８ｂに本体枠３０に対して直交方向に差し込むことで、螺旋部７２の伸縮方向とそれぞれの雌型接続コネクタ７６とが互いに直交する位置関係となるため、前面枠６０を大きく開いた場合であっても、雄型接続コネクタ７８から雌型接続コネクタ７６が外れる可能性を低減することができる。
【００４９】
上述した実施の形態において、前面枠６０が本体枠３０に閉じられた際の螺旋部７２の螺旋軸７１は直線であるものとしたが、必ずしも直線である必要は無く、所定の角度で弧を描くように湾曲していてもよい。この場合であっても、上述した実施の形態と同様の効果が得られる。この態様を採用した場合において、弧の向きは、前面枠６０の開放端側に向けて凸になるように湾曲して形成しても良い。こうすれば、前面枠６０の軸支側に向けて凹になるように配置されることになるため、前面枠６０の開閉に際し、軸支側の端部より離れる方向に湾曲し、前面枠６０の軸支側に向けて凸になるように湾曲して形成されている場合と比較して、接続ケーブル７０の少なくとも一部が前面枠６０の動線上に位置し、前面枠６０を閉じる際に、接続ケーブル７０が挟み込まれたり引っかかったり等することに起因して断線が生じる可能性を未然に低減することができる。
【００５０】
上述した実施の形態において、第一直線部７４ａ及び第二直線部７４ｂは、前面枠６０が本体枠３０に閉じられた際に、第一直線部７４ａと第二直線部７４ｂとが略平行、又は螺旋部７２の長さよりも短い距離となるように配置されてもよい。こうすれば、前面枠６０が本体枠３０に閉じられた際に接続ケーブル７０が占める領域を少なくすることができるため、省スペース化に資する。
【産業上の利用可能性】
【００５１】
上述した実施の形態で示すように、開閉部に用いる接続ケーブル、特に遊技機用の接続ケーブルとして利用することができる。
【符号の説明】
【００５２】
２０…パチンコ遊技機、２２…外枠、３０…本体枠、３２…発射ハンドル、３４…球受皿、３６…スピーカ、３８…球タンク、４０…球払出装置、４２…皿満タンスイッチ、４６…入賞球スイッチ、４８…球払出制御基板、５０…遊技盤、５１…遊技領域、５４…始動入賞口、５６…入賞口、５８…大入賞口、６０…前面枠、６１…軸、６２…透明板、６４…不透明部、６６…装飾ランプ、７０…接続ケーブル、７１…螺旋軸７１…螺旋部、７３…螺旋軸、７４…直線部、７４ａ…第一直線部、７４ｂ…第二直線部、７６…雌型接続コネクタ、７６ａ…雌型接続コネクタ、７６ｂ…雌型接続コネクタ、７８…雄型接続コネクタ、７８ａ…雄型接続コネクタ、７８ｂ…雄型接続コネクタ、７９…結束部、８０…主制御基板、８１…ＣＰＵ、８２…ＲＯＭ、８３…ＲＡＭ、１２０…パチンコ遊技機。
【図１】
0006042603.tif 000002
【図２】
0006042603.tif 000003
【図３】
0006042603.tif 000004
【図４】
0006042603.tif 000005
【図５】
0006042603.tif 000006
【図６】
0006042603.tif 000007
【図７】
0006042603.tif 000008
【図８】
0006042603.tif 000009